(57)【要約】      （修正有） 【課題】内部に投入した物体の撹拌の速度を容易に制御でき、かつカップ本体の同一方向への円滑な回転を維持するカップを提供する。【解決手段】物体を投入するカップ本体と、カップ本体を回転自在に支持する固定座２０と、カップ本体の外部底面に連結する回転方向制御手段３１１と歯車３１２を有し、かつ固定座に回転自在に設けられ、カップ本体を単一方向に回転させる回転手段３０と、固定座の収納空間に摺動自在に設けられ、かつ一端が固定座２０の外部に露出し、他端に回転手段３０を連動させるラック部４１が形成された起動部材４０と、固定座に設けられ、起動部材４０を元の位置に復帰させる弾性体５０と、を含んでなる。【選択図】図２
0003186917.tif 000002
【実用新案登録請求の範囲】
【請求項１】
物体を投入するカップ本体と、
該カップ本体を回転自在に支持するとともに、別途内部に収納空間を有してなる固定座と、
該カップ本体の外部底面に連結する回転方向制御手段と、歯車とによってなり、かつ該固定座の収納空間に回転自在に設けられ、該カップ本体を単一方向に回転させる回転手段と、  
該固定座の収納空間に摺動自在に設けられ、かつ一端が該固定座の外部に露出し、他端に該回転手段を連動させるラック部が形成された起動部材と、
該固定座の収納空間に設けられ、該起動部材が移動した場合、元の位置に復帰させるための弾性体と、を含んでなることを特徴とする撹拌機能と撹拌速度制御機能とを有するカップ。
【請求項２】
前記カップ本体と該固定座との間に回転台が設けられ、
該カップ本体の外部底面に複数の連結孔が形成されるとともに、該回転台の上面には、該カップ本体の外部底面の連結孔に対応する位置に連結柱を一体に形成し、該カップ本体の連結孔に該回転台の連結柱を挿入することによって、該カップ本体を該回転台に着脱自在に設け、
さらに該回転台の底面の中心の位置に、該回転手段の回転方向制御手段に連結する回転軸を設けることを特徴とする請求項１に記載の撹拌機能と撹拌速度制御機能とを有するカップ。
【請求項３】
前記固定座に把持部を設けることを特徴とする請求項１に記載の撹拌機能と撹拌速度制御機能とを有するカップ。
【請求項４】
前記回転方向制御手段が単方向軸受けであることを特徴とする請求項１に記載の撹拌機能と撹拌速度制御機能とを有するカップ。
【請求項５】
前記固定座に、上方に延伸する外周壁を一体に形成し、該外周壁に囲まれた空間に該カップ本体を収納し、かつ該カップ本体の上端には、該固定座の該外周壁の上端に当接する突縁部を一体に形成することを特徴とする請求項１に記載の撹拌機能と撹拌速度制御機能とを有するカップ。
【請求項６】
前記カップ本体と該固定座との間に回転台が設けられ、
該カップ本体の外部底面に所定の形状の凸出部を形成し、かつ該回転台には該カップ本体の凸出部に対応する形状の嵌合溝を形成し、該凸出部を該嵌合溝に嵌着して該カップ本体を該回転台に着脱自在に設け、
さらに該回転台の底面の中心の位置に、該回転手段の回転方向制御手段に連結する回転軸を設けることを特徴とする請求項１に記載の撹拌機能と撹拌速度制御機能とを有するカップ。
【請求項７】
前記カップ本体内に、投入する物体を撹拌する少なくとも一以上の底面から凸起する撹拌翼を設けることを特徴とする請求項１に記載の撹拌機能と撹拌速度制御機能とを有するカップ。
【考案の詳細な説明】
【技術分野】
【０００１】
この考案は、食器であるカップに関し、特に撹拌機能と撹拌速度制御機能とを具える飲料用のカップに関する。
【背景技術】
【０００２】
通常、インスタントコーヒー、もしくはその他粉末、顆粒状の紅茶、乳飲料などを飲料にして飲む場合は、該粉末、顆粒などをカップなどの容器に投入し、さらに液体を入れて撹拌する。但し、これらインスタントコーヒー、もしくはその他粉末、顆粒状の紅茶、乳飲料などを完全に混合させるには、ある程度の時間継続して撹拌しなければならない。さらに熱湯を注いだ場合、飲みやすい温度まで下げるためにある程度の時間継続して撹拌する必要がある。
【０００３】
そこで、撹拌機能を有するカップが開発された。台湾実用新案登録第Ｍ４０５２４３号は、公報の開示によれば、カップ内に撹拌棒を具え、押し圧を受けて該撹拌棒を回転させる手段を具えてなり、カップ内の物質を均一に混合する機能を有する。
【０００４】
然しながら、上述する撹拌棒を具えるカップは、次に掲げる欠点を有する。即ち、該撹拌棒がカップ底面に設けられて、カップ内の物質の撹拌、混合を行うものの、カップ自体が固定されていて回転しないため、カップの底部において撹拌の作用が得られるが、撹拌の効果に限りがある。
【０００５】
また、押し圧を受けて伝動する手段、伝動を受けて回転運動をする手段などは、ラックギア、歯車などによってなり、係る伝動構造によって該撹拌棒を回転させる。但し、伝動を受けて回転運動をする手段と撹拌棒との間には、例えば単方向軸受けなどの回転する方向を単一方向に限定する手段が設けられていない。
【０００６】
したがって、該押し圧を受けて伝動する手段を押し圧して該撹拌棒を回転させると、該押し圧を受けて伝動する手段は、付勢力によって逆方向に移動し、元の位置に復帰する。この場合、該伝動を受けて回転運動をする手段と該撹拌棒の一端は、継続して歯合した状態となっている。この状態において再度該押し圧を受けて伝動する手段を押し圧すると、該押し圧を受けて伝動する手段によって起動される方向と、該撹拌棒が回転する方向が逆になる。このため抵抗力が発生するとともに、歯合のデッドロック現象が容易に発生し、該押し圧を受けて伝動する手段を順調に押し圧することができなくなる。同時に、該撹拌棒の回転する速度を制御することができなくなる。
【０００７】
また、上述するように該押し圧を受けて伝動する手段が元の位置に復帰する過程において該撹拌棒が逆方向に回転する。したがって、同一方向への回転を持続させることができなくなる。
【０００８】
さらに、該撹拌棒を洗浄することが容易でないことから、カップが汚染しやすい。
【０００９】
したがって、前述する従来の技術は、理想の域に在るとは言いがたく、改善が望まれる。
【先行技術文献】
【特許文献】
【００１０】
【特許文献１】・・・  台湾実用新案登録第Ｍ４０５２４３公報
【考案の概要】
【考案が解決しようとする課題】
【００１１】
この考案は、内部に投入した物体を撹拌して混合する機能を有するカップであって、撹拌の速度を容易に制御することのできる、撹拌機能と撹拌速度制御機能とを有するカップを提供することを課題とする。
【００１２】
また、この考案は、物体を投入して撹拌するカップ本体の同一方向への回転を維持するともに、円滑な回転を達することのできる、撹拌機能と撹拌速度制御機能とを有するカップを提供することを課題とする。
【００１３】
さらに、この考案は、物体を投入して撹拌するカップ本体を自在に着脱でき、該カップ本体の洗浄、もしくは交換を容易に行うことができ、実用的、かつ衛生的な、撹拌機能と撹拌速度制御機能とを有するカップを提供することを課題とする。
【課題を解決するための手段】
【００１４】
そこで、本考案者は、従来の技術に見られる欠点に鑑み鋭意研究を重ねた結果、物体を投入するカップ本体と、該カップ本体を回転自在に支持する固定座と、該カップ本体の外部底面に連結する回転方向制御手段と歯車とによってなり、かつ該固定座に回転自在に設けられ、該カップ本体を単一方向に回転させる回転手段と、該固定座の収納空間に摺動自在に設けられ、かつ一端が該固定座の外部に露出し、他端に該回転手段を連動させるラック部が形成された起動部材と、及び該固定座に設けられ、該起動部材を元の位置に復帰させる弾性体と、を含んでなる、撹拌機能と撹拌速度制御機能とを有するカップよって課題を解決できる点に着眼し、係る知見に基づいて本考案を完成させた。以下、この考案について具体的に説明する。
【００１５】
請求項１に記載する撹拌機能と撹拌速度制御機能とを有するカップは、物体を投入するカップ本体と、
該カップ本体を回転自在に支持するとともに、別途内部に収納空間を有してなる固定座と、
該カップ本体の外部底面に連結する回転方向制御手段と、歯車とによってなり、かつ該固定座の収納空間に回転自在に設けられ、該カップ本体を単一方向に回転させる回転手段と、  
該固定座の収納空間に摺動自在に設けられ、かつ一端が該固定座の外部に露出し、他端に該回転手段を連動させるラック部が形成された起動部材と、
該固定座の収納空間に設けられ、該起動部材が移動した場合、元の位置に復帰させるための弾性体と、を含んでなる。
【００１６】
請求項２に記載する撹拌機能と撹拌速度制御機能とを有するカップは、請求項１におけるカップ本体と該固定座との間に回転台が設けられ、
該カップ本体の外部底面に複数の連結孔が形成されるとともに、該回転台の上面には、該カップ本体の外部底面の連結孔に対応する位置に連結柱を一体に形成し、該カップ本体の連結孔に該回転台の連結柱を挿入することによって、該カップ本体を該回転台に着脱自在に設け、
さらに該回転台の底面の中心の位置に、該回転手段の回転方向制御手段に連結する回転軸を設ける。
【００１７】
請求項３に記載する撹拌機能と撹拌速度制御機能とを有するカップは、請求項１における固定座に把持部を設ける。
【００１８】
請求項４に記載する撹拌機能と撹拌速度制御機能とを有するカップは、請求項１における回転方向制御手段が単方向軸受けである。
【００１９】
請求項５に記載する撹拌機能と撹拌速度制御機能とを有するカップは、請求項１における固定座に、上方に延伸する外周壁を一体に形成し、該外周壁に囲まれた空間に該カップ本体を収納し、かつ該カップ本体の上端には、該固定座の該外周壁の上端に当接する突縁部を一体に形成する。
【００２０】
請求項６に記載する撹拌機能と撹拌速度制御機能とを有するカップは、請求項１におけるカップ本体と該固定座との間に回転台が設けられ、
該カップ本体の外部底面に所定の形状の凸出部を形成し、かつ該回転台には該カップ本体の凸出部に対応する形状の嵌合溝を形成し、該凸出部を該嵌合溝に嵌着して該カップ本体を該回転台に着脱自在に設け、
さらに該回転台の底面の中心の位置に、該回転手段の回転方向制御手段に連結する回転軸を設ける。
【００２１】
請求項７に記載する撹拌機能と撹拌速度制御機能とを有するカップは、請求項１におけるカップ本体内に、投入する物体を撹拌する少なくとも一以上の底面から凸起する撹拌翼を設ける。
【考案の効果】
【００２２】
この考案による撹拌機能と撹拌速度制御機能とを有するカップは、撹拌機能と撹拌速度制御機能とを有し、撹拌の速度を容易に制御でき、かつカップ本体の同一方向への回転を維持して円滑な回転を達することから、実用的で、使用上の利便性が得られるのみならず、カップ本体を着脱自在に設けるため、カップ本体の洗浄が容易になり、衛生的である。さらに、選択的にカップ本体を異なる色彩、もしくは模様を施したものに交換することができ、商品としての付加価値を具える。
【図面の簡単な説明】
【００２３】
【図１】この考案におけるカップ本体を固定座及び回転台から外した状態を示した説明図である。
【図２】この考案における固定座と、回転台の構造を示した分解図である。
【図３】この考案における固定座の構造を示した説明図である。
【図４】この考案における固定座の構造を示した説明図である。
【図５】この考案における固定座の構造を示した他の説明図である。
【図６】この考案におけるカップの撹拌の動作を示した説明図である。
【図７】第２の実施例によるカップの構造を示した説明図である。
【図８】図７に開示するカップの構造を示した分解図である。
【図９】図７に開示するカップの撹拌の動作を示した説明図である。
【図１０】第２の実施の形態における回転翼の他の実施形態を示した説明図である。
【図１１】第３の実施例におけるカップの構造を示した分解図である。
【図１２】図１１に開示するカップの固定座の構造を示した説明図である。
【図１３】この考案における発光体の他の発光携帯を示した説明図である。
【図１４】この考案におけるカップ本体と回転台との他の連結の形態を示した説明図である。
【図１５】の考案におけるカップ本体の撹拌翼の他の実施の形態を示した説明図である。
【考案を実施するための形態】
【００２４】
この考案は、この考案は、内部に投入した物体を撹拌して混合する機能を有するカップであって、撹拌機能と撹拌速度制御機能とを有し、撹拌の速度を容易に制御でき、かつカップ本体の同一方向への回転を維持して円滑な回転を達するカップを提供する。ものであって、物体を投入するカップ本体と、該カップ本体を回転自在に支持する固定座と、該カップ本体の外部底面に連結する回転方向制御手段と歯車とによってなり、かつ該固定座に回転自在に設けられ、該カップ本体を単一方向に回転させる回転手段と、該固定座の収納空間に摺動自在に設けられ、かつ一端が該固定座の外部に露出し、他端に該回転手段を連動させるラック部が形成された起動部材と、及び該固定座に設けられ、該起動部材を元の位置に復帰させる弾性体と、を含んでなる。
係るカップの構造と特徴を詳述するために、具体的な実施例を挙げ、図面を参照にして以下に説明する。
【実施例１】
【００２５】
図１、２に開示するように、この考案によるカップは、カップ本体１０と、回転台１３と、固定座２０と、回転手段３０と、起動部材４０と、弾性体５０とを含んでなり、図６に開示するように、起動部材４０を操作することによってカップ本体１０を回転させ、カップ本体１０内の液体などの物体を撹拌するとともに、温度を下げる効果を達成する。同時に起動部材４０を継続的に操作することによって、カップ本体１０の回転速度を容易に制御することができる。カップ本体１０に投入する物体は、例えば液体、粉末、固体、もしくはこれらの組み合わせである。
【００２６】
カップ本体１０内には、底面から凸起して撹拌翼１１を設け、かつカップ本体１０の外部底面には、複数の連結孔１２を形成する。
【００２７】
また、カップ本体１０の下には回転台１３を設ける。回転台１３の上面には、カップ本体１０の外部底面の連結孔１２に対応するそれぞれの位置に、連結柱１３１を一体に形成し、カップ本体１０の連結孔１２に回転台１３２の連結柱１３１を挿入することによって、カップ本体１０を回転台１３に着脱自在に設ける。また、回転台１３の底面の中心の位置には回転軸１３２を設ける。
【００２８】
固定座２０は、ハウジング２１と、ベース部２２とによってなり、上面にカップ本体１０と回転台１３を支持する。ハウジング２１と、ベース部２２との間には、回転手段３０と、起動部材４０と、弾性体５０とを設ける収納空間を形成する。また、ベース部２２には把持部２２１を設ける。さらに、ベース部２２には位置決め柱２２２を一体に形成する。
【００２９】
回転手段３０は、回転部材３１と、回転部材３１の上面に設ける回転方向制限手段３１１と、回転部材３１の底面に設ける歯車３１２とによってなり、固定座２０のベース部２２に形成した位置決め柱２２２に回転自在に設ける。
【００３０】
実施例において回転方向制限手段３１１は単方向軸受けであるが、但し単方向軸受けに限定することなく、同等の効果の得られる部材であればよい。回転方向制御手段３１１は回転台１３の回転軸１３２に連結する。よって、回転手段３０は単一の方向のみに回転し、連動する回転台１３とカップ本体１０も回転の方向が制限され、単一の方向にのみ回転する。
【００３１】
固定座２０の収納空間には、別途歯車ユニット３２を設ける。歯車ユニット３２は、回転手段３０の歯車３１２に歯合する平歯車３２１と、平歯車３２１の底面に設けるピニオンギア３２２とによってなる。
【００３２】
起動部材４０は、固定座２０のベース部２２にガイド部２２３を凸設し、ガイド部２２３にガイドされて摺動し、往復運動を行うように設ける。起動部材４０の一端には複数の歯を形成してラック部４１とし、他端は固定座２０から露出し、かつ起動部材４０を押し圧、もしくは引くための把手部４２を一体に形成する。ラック部４１は、
歯車ユニット２２のピニオンギア３２２に歯合する。また、起動部材４０の他端は固定座２０の外部に露出するとともに、起動部材４０を引くか、もしくは押すための把出部４２を一体に形成する。
【００３３】
起動部材４０、回転部材３１について、高回転比とする必要がなく、構造を簡易化して製造コストを節減したい場合には、歯車ユニット２２を設けず、起動部材４０のラック部４１が回転手段３０の歯車３１２に直接歯合するように構成してもよい。
【００３４】
弾性体５０は、固定座２０の収納空間に設ける。実施例において、弾性体５０は引張コイルばねであって、一端をベース部２２に固定し、他端を起動部材５０に固定する。よって、起動部材５０を外方向に引っ張ると、弾性体５２の付勢力によって起動部材５０は元の位置に復帰する。
【００３５】
図５、６に開示するように、容器本体１０に液体などの物体を投入して撹拌しようとする場合、起動部材４０を外方向に引くと、起動部材４０のラック部４１に歯合するピニオンギア３２２が回転し、平歯車３２１、歯車３１２を介して回転部材３１が回転する。同時に回転軸１３２と、回転台１３と、カップ本体１０が連動して回転する。カップ本体１０内には撹拌翼１１が設けられているため、カップ１０内に投入した物体を撹拌する作用、もしくは温度を下げる作用が得られる。
【００３６】
起動部材４０を引いてカップ本体１０を回転させると、起動部材４０が弾性体５０の付勢力によって逆方向に移動して元の位置に復帰する。この過程において、回転部材３１と回転軸１３２との間に回転方向制御手段３１１が設けられているため、回転部材３１と回転軸１３２とは連動せず、抵抗力も発生しない。このため、容易に起動部材４０を連続して引いて往復運動を行わせることができる。このため、カップ本体１０が回転を持続し、かつカップ本体１０の撹拌する速度を容易に制御することができる。また、起動部材４０が元の位置に復帰する過程において、回転軸１３２は逆方向に回転しない。よって、カップ本体１０は同一方向への回転を維持することができる。
【実施例２】
【００３７】
図８、９に第２の実施の形態によるカップを開示する。図面によれば、固定座２０のハウジング２１には、上方に延伸する、所定の高さの外周壁２１１を一体に形成し、外周壁２１１に囲まれた空間にカップ本体１０を収納する。また、把持部２２１は上方に延伸させて適宜な長さとする。
【００３８】
第２の実施の形態においては、回転台１３を設けることなく、カップ本体１０の外部底面に回転軸１０１を設けて、直接回転部材３１に連結する。またカップ本体１０の上端には、固定座２０の外周壁２１１の上端に当接する突縁部１０２を一体に形成する。突縁部１０２は外周壁２１１の上端に当接するが、カップ本体１０の回転を妨げるものではなく、係る構造のカップ本体１０も同様に撹拌機能を達成することができる。
【００３９】
カップ本体１０内に設ける撹拌翼１１は、選択的に形状を変化させてもよい。例えば、図１０においては撹拌翼１１を台湾本島の形状にした。このように、回転翼１１を立体商標、もしくはその他企業を代表する形状に変化させることによって、広告としての効果を達成することができる。
【実施例３】
【００４０】
図１１、１２、１３に第３の実施の形態を開示する。第３の実施の形態においては、  起動部材４０を押すことによってカップ本体１０を回転させる。即ち、起動部材４０の一端は固定座２０から外部に突出する。起動部材４０が押し圧され固定座２０内部に向かって移動すると、弾性体５０の付勢力によって元の位置に復帰する。
【００４１】
その他、図１４に開示するように、カップ本体１０の外部底面に所定の形状の凸出部１４を形成し、回転台１３には、カップ本体１０の凸出部１４に対応する形状の嵌合溝１３３を形成し、凸出部１４を嵌合溝１８３に嵌着してカップ本体１０を回転台１３に着脱自在に設けてもよい。
【００４２】
さらに、図１５に開示するように、カップ本体１０内に設ける撹拌翼１１を、カップ本体１０の内壁に一体に形成する複数のリブ状突起としてもよい。この場合、リブ状突起は円弧を描き、螺旋状を呈する。よって、螺旋状の撹拌機能が得られる。
【符号の説明】
【００４３】
１０          カップ本体
１０１        回転軸
１０２        突縁
１１          撹拌翼
１２          連結孔
１３          回転台
１３１        連結柱
１３２        回転軸
１３３        嵌合溝
１４          凸出部
２０          固定座
２１          ハウジング
２１１        外周壁
２２          ベース部
２２１        把持部
２２２        位置決め柱
２２３        ガイド部
３０          回転手段
３１          回転部材
３２          歯車ユニット
３２１        平歯車
３２２        ピニオンギア
３１１        回転方向制御手段
３１２        歯車
４０          起動部材
４１          ラック部
４２          把手部
５０          弾性体
【図１】
0003186917.tif 000003
【図２】
0003186917.tif 000004
【図３】
0003186917.tif 000005
【図４】
0003186917.tif 000006
【図５】
0003186917.tif 000007
【図６】
0003186917.tif 000008
【図７】
0003186917.tif 000009
【図８】
0003186917.tif 000010
【図９】
0003186917.tif 000011
【図１０】
0003186917.tif 000012
【図１１】
0003186917.tif 000013
【図１２】
0003186917.tif 000014
【図１３】
0003186917.tif 000015
【図１４】
0003186917.tif 000016
【図１５】
0003186917.tif 000017